(57)【要約】【課題】ケーシング内に熱交換機と送風機とを配置してなる空気調和機にあって、空気調和機としての性能を低下させることなく、特に奥行方向のコンパクト化（薄型コンパクト化）要請に対して十分に応えることができる空気調和機を提供する。【解決手段】ケーシング内に、遠心送風機１８が回転軸線Ｐを空気調和機の奥行方向に沿うようにして配置されると共に、遠心送風機１８の左右両側には一対の熱交換機２４が遠心送風機１８の回転軸線Ｐと直交する左右方向で該遠心送風機１８と部分的に重なり合うように配置されている。即ち、各熱交換機２４同士は、遠心送風機１８の回転軸線Ｐを含む垂直平面を対称面とした場合に面対称の配置態様となるように配置されている。そのため、ケーシング内で、遠心送風機１８と熱交換機２４とは空気調和機の奥行方向に重なり合う配置態様とならず、奥行方向のコンパクト化が可能となる。【選択図】      図２
2006029702.tif 000002
【特許請求の範囲】
【請求項１】
空気の吸込口及び吹出口が各々設けられたケーシング内に、遠心送風機を、該遠心送風機の回転軸線がケーシングの奥行方向に沿うように配置すると共に、熱交換機を、前記遠心送風機の回転軸線と直交する方向で該遠心送風機と少なくとも部分的に重なり合うように配置した空気調和機。
【請求項２】
前記ケーシング内には前記熱交換機が複数配置されており、各熱交換機同士は、前記遠心送風機の回転軸線を中心とした場合に１８０度又は９０度の角度間隔をおいた位置にそれぞれ配置されている請求項１に記載の空気調和機。
【請求項３】
前記遠心送風機の回転軸線を中心とした場合に１８０度の角度間隔をおいた位置にそれぞれ配置されることになる各熱交換機同士は、前記遠心送風機の回転軸線を含む垂直平面又は水平平面を対称面とした場合に面対称となる配置態様に配置されている請求項２に記載の空気調和機。
【請求項４】
前記各熱交換機のうち少なくとも一つの熱交換機は、前記遠心送風機の回転軸線を含む垂直平面又は水平平面に対して、その熱交換機におけるフィンの積層方向が斜め向きとなる配置態様に配置されている請求項２に記載の空気調和機。
【請求項５】
前記ケーシング内において、前記遠心送風機から見た場合における前記熱交換機の背面側には前記吹出口に連通する空気吹出流路が設けられ、該空気吹出流路の前記熱交換機の背面と対向する内面には前記熱交換機の背面から吹き出された空気吹出流を前記吹出口に向けて円滑に案内可能なガイド面が設けられている請求項１〜請求項４のうち何れか一項に記載の空気調和機。
【請求項６】
前記遠心送風機は、前記ケーシングにおける奥行方向手前側となる一側面に設けられた吸込口と対向するように配置されており、該吸込口と前記遠心送風機との間には、ケーシングの奥行方向手前側に向けて末広がり状をなす空気ガイドが配設されている請求項１〜請求項５のうち何れか一項に記載の空気調和機。
【請求項７】
前記ケーシングには、該ケーシングにおける奥行方向手前側の一側面に吸込口が設けられると共に、該ケーシングにおける前記一側面又は他側面に吹出口が設けられている請求項１〜請求項６のうち何れか一項に記載の空気調和機。
【請求項８】
前記ケーシングは、該ケーシングの背面を室内壁面に対向させた状態で設置されるものであり、前記吸込口及び吹出口は、前記ケーシングにおける奥行方向手前側の一側面となる前面に各々設けられている請求項１〜請求項７のうち何れか一項に記載の空気調和機。
【請求項９】
前記吸込口及び吹出口は、前記ケーシングにおける奥行方向手前側の一側面となる前面において、前記吸込口の左右両側に前記吹出口がそれぞれ位置するように設けられている請求項８に記載の空気調和機。
【請求項１０】
前記ケーシングにおける奥行方向手前側の一側面となる前面には、複数の吸込口が設けられ、それら各吸込口と対向するように複数の遠心送風機がケーシング内に配置されると共に、該ケーシング内には前記遠心送風機の左右両側に前記熱交換機がそれぞれ配置され、それら各熱交換機の背面と前記各吹出口との間に、前記各熱交換機の背面から吹き出された空気吹出流を前記各吹出口に向けて導くための空気吹出流路が設けられている請求項９に記載の空気調和機。
【発明の詳細な説明】
【技術分野】
【０００１】
本発明は、ケーシング内に熱交換機と送風機とを備えた空気調和機に関する。
【背景技術】
【０００２】
従来、この種の空気調和機としては、例えば特許文献１に記載されるような空気調和機の室内機（以下、「従来空調機１」という。）が知られている。この従来空調機1では、箱状ケーシング内に、ケーシング前面の吸込口に対向させて熱交換機を配置すると共に、該熱交換機の背面側に遠心送風機を配置している。そして、前記遠心送風機の回転駆動に伴い吸込口からケーシング内に吸い込まれた空気が、前記熱交換機を通過して温度調整された後、前記ケーシングの上面及び左右各面に設けられた吹出口からケーシング外へ吹き出されるようにしている。
【０００３】
また、送風機に遠心送風機を用いている上記従来空調機１とは別に、例えば特許文献２に記載されるように、送風機にクロスフロー送風機を用いた空調用室内機（以下、「従来空調機２」という。）も知られている。この従来空調機２では、箱状ケーシング内の上部にクロスフロー送風機を配置すると共に、該送風機よりも下方となるケーシング内位置に熱交換機を配置している。そして、クロスフロー送風機の回転駆動に伴いケーシングの前面上部に設けられた吸気グリルからケーシング内に吸い込まれた空気が、前記熱交換機を通過して温度調整された後、前記ケーシングの前面下部に設けられた吹出グリルからケーシング外へ吹き出されるようにしている。
【特許文献１】特開平１０−１２２５８９号公報（請求項１、段落番号［００２６］、図２）
【特許文献２】特開平９−２１７９４２号公報（請求項１、図１及び図２）
【発明の開示】
【発明が解決しようとする課題】
【０００４】
ところで、近時における空気調和機には、その設置スペースを少なくしたいという観点から、奥行方向のコンパクト化（即ち、薄型コンパクト化）が要請されている。特に、該空気調和機が室内壁面等に設置される壁掛け式室内機として構成される場合には、室内のインテリア性を向上させるために、そのような薄型コンパクト化の要請が高い。さらに、壁掛け式室内機として構成される空気調和機の場合は、設置される室内壁面のスペース的制約との関係から、上下方向のコンパクト化（即ち、嵩高コンパクト化）についても同様に要請されている。
【０００５】
この点、上記従来空調機１の場合は、ケーシング内で熱交換機と遠心送風機が奥行方向に重なり合う配置態様となっているため、奥行方向のコンパクト化（薄型コンパクト化）という要請に対して十分に応えているとは言い難かった。また、上記従来空調機２の場合は、ケーシング内で熱交換機とクロスフロー送風機が上下方向に重なり合う配置態様となるため、上下方向のコンパクト化（嵩高コンパクト化）という要請に対して十分に応えているとは言い難かった。なお、この従来空調機２において薄型コンパクト化及び嵩高コンパクト化を図るには、クロスフロー送風機のファン径を小さくするということも考えられるが、そのようにした場合は、風量が低下して空気調和機としての性能が低下するため、薄型コンパクト化及び嵩高コンパクト化の要請に対して適切に対応するということは容易なことではなかった。
【０００６】
本発明は、上記事情に鑑みてなされたものであり、その目的は、ケーシング内に熱交換機と送風機とを配置してなる空気調和機にあって、空気調和機としての性能を低下させることなく、特に奥行方向のコンパクト化（薄型コンパクト化）要請に対して十分に応えることができる空気調和機を提供することにある。
【課題を解決するための手段】
【０００７】
上記目的を達成するために、空気調和機に係る請求項１に記載の発明は、空気の吸込口及び吹出口が各々設けられたケーシング内に、遠心送風機を、該遠心送風機の回転軸線がケーシングの奥行方向に沿うように配置すると共に、熱交換機を、前記遠心送風機の回転軸線と直交する方向で該遠心送風機と少なくとも部分的に重なり合うように配置したことを要旨としている。
【０００８】
そのため、請求項１に記載の発明によれば、ケーシング内で遠心送風機と熱交換機がケーシングの奥行方向に重なり合う配置態様とならず、ケーシングの奥行方向と直交する方向で重なり合う配置態様となるため、空気調和機の奥行方向のコンパクト化（すなわち、薄型化）要請にも好適に対応することができる。
【０００９】
また、請求項２に記載の発明は、請求項１に記載の空気調和機において、前記ケーシング内には前記熱交換機が複数配置されており、各熱交換機同士は、前記遠心送風機の回転軸線を中心とした場合に１８０度又は９０度の角度間隔をおいた位置にそれぞれ配置されていることを要旨としている。そのため、この請求項２に記載の発明によれば、遠心送風機の空気吹出側における複数位置に熱交換機を配置できるため、熱交換効率を良好に向上させることができる。
【００１０】
また、請求項３に記載の発明は、請求項２に記載の空気調和機において、前記遠心送風機の回転軸線を中心とした場合に１８０度の角度間隔をおいた位置にそれぞれ配置されることになる各熱交換機同士は、前記遠心送風機の回転軸線を含む垂直平面又は水平平面を対称面とした場合に面対称となる配置態様に配置されていることを要旨としている。そのため、この請求項３に記載の発明によれば、各熱交換機を通過して吹出口からケーシング外へ吹き出される空気の風量分布を均一にすることができる。
【００１１】
また、請求項４に記載の発明は、請求項２に記載の空気調和機において、前記各熱交換機のうち少なくとも一つの熱交換機は、前記遠心送風機の回転軸線を含む垂直平面又は水平平面に対して、その熱交換機におけるフィンの積層方向が斜め向きとなる配置態様に配置されていることを要旨としている。そのため、この請求項４に記載の発明によれば、フィンの積層方向が斜め向きとなる配置態様に配置された熱交換機については、その熱交換機における有効熱交換面積を広く確保することができるようになり、空気調和機における熱交換効率を良好に向上させることができる。
【００１２】
また、請求項５に記載の発明は、請求項１〜請求項４のうち何れか一項に記載の空気調和機において、前記ケーシング内において、前記遠心送風機から見た場合における前記熱交換機の背面側には前記吹出口に連通する空気吹出流路が設けられ、該空気吹出流路の前記熱交換機の背面と対向する内面には前記熱交換機の背面から吹き出された空気吹出流を前記吹出口に向けて円滑に案内可能なガイド面が設けられていることを要旨としている。そのため、この請求項５に記載の発明によれば、熱交換機の背面から吹き出された空気を吹出口側へと円滑に案内することができ、空気吹出流路内での空気吹出流の圧力損失を可及的に低減することができる。
【００１３】
また、請求項６に記載の発明は、請求項１〜請求項５のうち何れか一項に記載の空気調和機において、前記遠心送風機は、前記ケーシングにおける奥行方向手前側となる一側面に設けられた吸込口と対向するように配置されており、該吸込口と前記遠心送風機との間には、ケーシングの奥行方向手前側に向けて末広がり状をなす空気ガイドが配設されていることを要旨としている。そのため、この請求項６に記載の発明によれば、空気ガイドを介して吸込口から遠心送風機へ滑らかに空気を流入させることができるため、空気吸込時における騒音低減を図ることができる。
【００１４】
また、請求項７に記載の発明は、請求項１〜請求項６のうち何れか一項に記載の空気調和機において、前記ケーシングには、該ケーシングにおける奥行方向手前側の一側面に吸込口が設けられると共に、該ケーシングにおける前記一側面又は他側面に吹出口が設けられていることを要旨としている。そのため、請求項７に記載の発明によれば、ケーシングにおける奥行方向手前側の一側面からケーシング内に吸い込んだ空気を該ケーシングの前記一側面又は他側面から吹き出すようにできるため、空気調和機を設置する際には、該空気調和機が設置される周辺環境に応じて、吹出口からの空気吹出方向が好適となるように柔軟に対応できる。
【００１５】
また、請求項８に記載の発明は、請求項１〜請求項７のうち何れか一項に記載の空気調和機において、前記ケーシングは、該ケーシングの背面を室内壁面に対向させた状態で設置されるものであり、前記吸込口及び吹出口は、前記ケーシングにおける奥行方向手前側の一側面となる前面に各々設けられていることを要旨としている。そのため、請求項８に記載の発明によれば、ケーシング内への空気の吸込とケーシング外への空気の吹出が、前面吸込・前面吹出となる。従って、壁掛け式室内機として構成されることになる空気調和機を室内壁面の上部に天井に近接させた状態で設置できると共に、たとえ窓ガラスの近傍に設置された場合でも吹出口から吹き出された空気が窓ガラスとの熱交換によって温度変化させられる虞を回避することができる。
【００１６】
また、請求項９に記載の発明は、請求項８に記載の空気調和機において、前記吸込口及び吹出口は、前記ケーシングにおける奥行方向手前側の一側面となる前面において、前記吸込口の左右両側に前記吹出口がそれぞれ位置するように設けられていることを要旨としている。そのため、この請求項９に記載の発明によれば、吸込口の左右両側に設けられた各吹出口から温度調整された空気がそれぞれ前方に向けて吹き出されることになり、広範囲に亘って空気を吹き出すことができる。
【００１７】
また、請求項１０に記載の発明は、請求項９に記載の空気調和機において、前記ケーシングにおける奥行方向手前側の一側面となる前面には、複数の吸込口が設けられ、それら各吸込口と対向するように複数の遠心送風機がケーシング内に配置されると共に、該ケーシング内には前記遠心送風機の左右両側に前記熱交換機がそれぞれ配置され、それら各熱交換機の背面と前記各吹出口との間に、前記各熱交換機の背面から吹き出された空気吹出流を前記各吹出口に向けて導くための空気吹出流路が設けられていることを要旨としている。そのため、この請求項１０に記載の発明によれば、空気調和機が設置される室内空間の大きさに応じて該空気調和機の大型化を図ることができる。
【発明の効果】
【００１８】
請求項１〜請求項１０に記載の本発明によれば、ケーシング内に熱交換機と送風機とを配置してなる空気調和機にあって、空気調和機としての性能を低下させることなく、特に奥行方向のコンパクト化（薄型コンパクト化）要請に対して十分に応えることができる。
【発明を実施するための最良の形態】
【００１９】
以下、本発明を空気調和機における室内機に具体化した一実施形態を図１〜図３にしたがって説明する。
図１に示すように、本実施形態の空気調和機１０は、横長箱状のケーシング１１を備えており、該ケーシング１１の背面（後面）を室内壁面（例えば、天井間近で横梁状をなす縦幅の狭い壁面部分）Ｗに対向させた状態で設置される壁掛け式薄型の室内機として構成されている。前記ケーシング１１は、前面側が開口したケーシング本体１２と、該ケーシング本体１２の前面側を閉塞する前面パネル１３とから構成されている。前面パネル１３の表面側（前面側）において左右方向へ離間した二箇所には、複数の長尺フラップが上下方向に列設されてなる吸込口１４がそれぞれ設けられている。また、各吸込口１４の左右各二箇所には、複数の短尺フラップが上下方向に列設されてなる吹出口１５がそれぞれ設けられている。なお、ケーシング本体１２の右側壁１２ｂからは一対の冷媒配管１６が引き出され、各冷媒配管１６の引出端には接続用ユニット１７が設けられている。
【００２０】
次に、前記ケーシング１１内の部材配置構成を図２及び図３に基づき説明する。なお、図２は、図１に示す空気調和機１０のケーシング１１から、前面パネル１３を取り外すと共に、ケーシング本体１２の上側壁１２ａ及び右側壁１２ｂを図示省略した概略斜視図である。また、この図２においては、ケーシング１１内における前記冷媒配管１６の配管状態及びドレンの図示を省略している。また、図３は、図１に示す空気調和機１０を上下方向の中間位置で断面図示した平断面図である。
【００２１】
図２及び図３に示すように、前記ケーシング１１内には、複数（左右一対）の遠心送風機１８が、回転軸線Ｐを前後方向（即ち、ケーシング１１の奥行方向）に沿わせた状態で前記各吸込口１４と各別に対向するように配置されている。そして、それら各別に対向する吸込口１４と遠心送風機１８との間には、正面視円環状をなす空気ガイド（ベルマウスともいう。）１９が各遠心送風機１８と同軸配置となるように配置されている。各空気ガイド１９は、遠心送風機１８側となる後面側から吸込口１４側となる前面側（即ち、ケーシング１１の奥行方向手前側）に向けて末広がり状をなすように形成されており、図３に示すように、その前端縁が前面パネル１３に対して吸込口１４の背面側から嵌め込み支持されることにより、ケーシング１１に対して固定されている。そして、各空気ガイド１９は、その前端縁よりも小径に形成された後端縁が前記遠心送風機１８の前端近傍まで延設され、吸込口１４からケーシング１１内に流入した空気を遠心送風機１８に向けて円滑にガイドするようになっている。
【００２２】
前記遠心送風機１８は、略円盤形状をなすハブ２０と該ハブ２０の外周部前面から前方へ向けて突設された多数枚の円弧片状の羽根２１とを備えてなる羽根部２２と、該羽根部２２を回転駆動させるためのモータ２３とを備えている。この遠心送風機１８は、羽根部２２の回転駆動に基づき発生する遠心力によって、該遠心送風機１８内から空気を前記回転軸線Ｐと直交する遠心方向（ラジアル方向）へ向けて吹き出す遠心送風機能を有するものであり、その羽根部２２は前面側から見た場合の輪郭形状（正面視形状）は空気ガイド１９の後端縁の開口形状と略同一の大きさをなしている。そして、各遠心送風機１８は、ケーシング１１の後側壁面に各モータ２３が固定されると共に、該各モータ２３から前方へ向けて前記回転軸線Ｐに軸線を一致させるように突設された支持軸２３ａの先端部に、各遠心送風機１８の羽根部２２が回動自在に支持されている。
【００２３】
また、前記ケーシング１１（ケーシング本体１２）内において、遠心送風機１８の左右両側には、該遠心送風機１８を左右両側から挟むようにして、左右一対の熱交換機２４が配置されている。各熱交換機２４は、複数のフィン２４ａが積層されてなり、本実施形態では各熱交換機２４におけるフィン２４ａの積層方向が遠心送風機１８の回転軸線Ｐを含む垂直平面に対して平行となるように配置されている。即ち、各熱交換機２４は、前記遠心送風機１８の回転軸線Ｐを中心とした場合に１８０度の角度間隔をおいた位置に各熱交換機２４の中心が位置するように配置されており、左右で対をなす各熱交換機２４同士は前記遠心送風機１８の回転軸線Ｐを含む垂直平面を対称面とした場合に面対称となる配置態様に配置されている。そして、このような配置態様としたことにより、各熱交換機２４は、遠心送風機１８の回転軸線Ｐと直交する方向で該遠心送風機１８とそれぞれ部分的に重なりあうことになる。本実施形態では、遠心送風機１８の回転軸線Ｐに沿う方向を奥行方向とした場合に、遠心送風機１８の奥行方向長さ全体が熱交換機２４の奥行方向長さの一部にオーバーラップ（重なり合った）する配置構成とされている。
【００２４】
また、前記ケーシング１１（ケーシング本体１２）内において、前記遠心送風機１８から見た場合における熱交換機２４の背面側には、該熱交換機２４との対抗面に円弧面状のガイド面２５ａを備えたガイドブロック２５がそれぞれ配置されている。そして、これら各ガイドブロック２５と各熱交換機２４との間には、前記吹出口１５に連通する空気吹出流路２６が設けられている。そのため、前記遠心送風機１８からラジアル方向に吹き出された空気は、前記熱交換機２４の各フィン２４ａ間を通過した後、その空気吹出流が前記空気吹出流路２６内において前記ガイド面２５ａに沿って円滑に吹出口１５の方向へ案内されることになる。
【００２５】
そこで次に、上記のように構成された本実施形態の空気調和機１０における作用につき以下説明する。
さて、モータ２３の駆動力に基づき遠心送風機１８の羽根部２２が回転駆動されると、図３に矢印Ａで示すように、前記ケーシング１１内には前面側の各吸込口１４から空気が遠心送風機１８に向けて吸い込まれる。その際、吸込口１４からは前方に向けて末広がり状をなす空気ガイド１９の内面に沿って大容量の空気が滑らかに遠心送風機１８へと流入ガイドされる。そして、遠心送風機１８内に流入した空気は、該遠心送風機１８の遠心送風機能により、図３に矢印ａで示すように、回転軸線Ｐと直交するラジアル方向へ吹き出される。
【００２６】
すると、この遠心送風機１８から吹き出された空気は、該遠心送風機１８の左右両側に平行状態に立設配置された各熱交換機２４の各フィン２４ａ間を通過し、その際に、前記冷媒配管１６を介して熱交換機２４内を流れる冷媒との熱交換により温度調整（加熱又は冷却）される。ここで、遠心送風機１８の左右両側に配置された各熱交換機２４同士は、遠心送風機１８の回転軸線Ｐを含む垂直平面を対称面とした場合に面対称となる配置態様とされている。そのため、これら各熱交換機２４を通過して当該各熱交換機２４の背面から吹き出される空気の風量分布は左右ほぼ均一とされる。
【００２７】
その後、前記各熱交換機２４の背面から吹き出された空気は、当該各熱交換機２４とガイドブロック２５との間に形成された空気吹出流路２６内へ流入する。すると、該空気吹出流路２６内において、前記空気は、図３に矢印ｂで示すように、その空気吹出流の方向が、ガイドブロック２５の内面側に形成された円弧面状をなすガイド面２５ａによって、前面側の吹出口１５に向けて滑らかにガイドされる。そのため、前記空気は、空気吹出流路２６内での空気吹出流の圧力損失が好適に低減される。
【００２８】
そして、空気吹出流路２６内を吹出口１５まで導かれた空気は、該吹出口１５からケーシング１１外へと吹き出される。即ち、本実施形態の空気調和機１０では、ケーシング１１の前面側から室内の空気を吸い込み、ケーシング１１の前面側から温度調整された空気を室内に吹き出す。その際、温度調整された空気は、図３に矢印Ｂで示すように、吸込口１４の左右両側に設けられた各吹出口１５からケーシング１１外へと吹き出されることになるため、左右方向へ広範囲に亘って吹き出される。
【００２９】
また、前記空気調和機１０を室内壁面Ｗに設置する際には、図１及び図３に示すように、ケーシング１１（ケーシング本体１２）の背面を前記室内壁面Ｗに対向させた状態にして固定される。ここで、本実施形態の空気調和機１０では、ケーシング１１内において、遠心送風機１８と熱交換機２４とが空気調和機１０の奥行方向となる前後方向で重なり合う配置態様でなく、奥行方向と直交する左右方向において部分的に重なり合う配置態様とされている。また、遠心送風機１８と熱交換機２４とが、ケーシング１１内において上下方向で重なり合う配置構成ともなっていない。そのため、空気調和機１０の前後方向及び上下方向のサイズがコンパクトとなり、例えば天井間近で横梁状をなす縦幅の狭い壁面部分に対しても、室内側への出っ張りを少なくした状態で、室内インテリア性を損なわせることなく設置することが可能とされる。
【００３０】
上記実施形態の空気調和機１０によれば、以下のような効果を得ることができる。
（１）ケーシング１１内で遠心送風機１８と熱交換機２４がケーシング１１の前後方向（空気調和機１０の奥行方向）に重なり合う配置態様とならず、遠心送風機１８の回転軸線Ｐと直交する左右方向で重なり合う配置態様とされている。そのため、室内インテリア性を向上させるために掲げられる空気調和機１０の奥行方向のコンパクト化（すなわち、薄型化）要請にも好適に対応することができる。また、そのような配置態様とするに際して、遠心送風機１８を小型化する等ということもないため、必要十分な風量を確保でき、空気調和機１０としての性能が低下することもない。
【００３１】
（２）ケーシング１１内には遠心送風機１８の空気吹出側となる左右両側の各位置（複数位置）に熱交換機２４を各々配置しているため、遠心送風機１８がラジアル方向に吹き出した空気を左右両側の各熱交換機２４により熱交換することができ、熱交換効率を向上することができる。
【００３２】
（３）一つの遠心送風機１８を両側から挟むように配置された一対の熱交換機２４同士は、遠心送風機１８の回転軸線Ｐを含む垂直平面を対称面とした場合に左右方向で面対称となる配置態様とされている。そのため、各熱交換機２４を通過することにより温度調整された後、各吹出口１５から吹き出される空気の風量分布を均一にすることができる。
【００３３】
（４）また、熱交換機２４の背面から吹き出されて空気吹出流路２６内に流入した空気をガイドブロック２５のガイド面２５ａに沿って滑らかに吹出口１５側へガイドできるので、空気吹出流路２６内での空気吹出流の圧力損失を可及的に低減することができる。
【００３４】
（５）一方、吸込口１４からケーシング１１内の遠心送風機１８に向けて吸い込まれた空気については、該遠心送風機１８と吸込口１４との間に配置した前方側が末広がり状の空気ガイド１９を介して滑らかに遠心送風機１８内へと流入ガイドすることができる。従って、吸込口１４からケーシング１１内への空気吸込時における騒音の低減を良好に図ることができる。
【００３５】
（６）また、本実施形態では、ケーシング１１の前面に設けられた吸込口１４から吸い込んだ空気を温度調整した後、該吸込口１４と同様にケーシング１１の前面に設けられた吹出口１５から前方へ向けて吹き出すように空気吹出方向が設定されている。そのため、ケーシング１１の背面を室内壁面Ｗにピッタリと接した状態で設置される壁掛け式の空気調和機１０とした場合でも、その空気吹出方向がカーテンレールや天井面等の周辺環境を考慮した柔軟な設置状態にできる。
【００３６】
（７）しかも、本実施形態の空気調和機１０のように、前面吸込・前面吹出となる構成の場合は、壁掛け式の空気調和機１０として室内壁面Ｗの上部（即ち、天井間近の位置）に設置したとしても、空気の吸込及び吹出が制約を受けることがない。また、そのような壁掛け式の空気調和機１０を例えば窓ガラスの近傍に設置した場合でも、空気吹出方向が窓ガラスに沿うこともないため、温度調整されて吹き出された空気が窓ガラスとの熱交換により温度変化させられる虞も回避することができる。
【００３７】
（８）そして、一つの吸込口１４に対しては該吸込口１４を両側から挟むように一対の吹出口１５が設けられ、それら各吹出口１５から温度調整された空気が各々吹き出されるようになっている。そのため、ケーシング１１の前面から温度調整された空気を室内側へ広範囲に亘って吹き出すことができる。
【００３８】
（９）さらに、本実施形態では、上記したような遠心送風機１８と熱交換機２４及びガイドブロック２５等からなる空調ユニットをケーシング１１内に複数（本実施形態では左右方向に２つ）設けている。そして、それら各空調ユニットの吸込口１４から空気を吸い込み、該空気を温度調整した後に各空調ユニットの吹出口１５から各々吹き出すようにしている。従って、空気調和機１０が設置される環境（室内空間の大きさ）に応じて前記空調ユニットの数を調節することにより、設置環境条件に対応した適切な空調性能を提供することも可能となる。
【００３９】
なお、本実施形態は以下のような別の実施形態（別例）に変更してもよい。
・例えば図４に示す別例１のように、熱交換機２４は、ケーシング１１（ケーシング本体１２）内において、遠心送風機１８の上下両側に配置されるようにしてもよい。即ち、遠心送風機１８を上下両側から挟む上下一対の熱交換機２４を遠心送風機１８毎に配置し、各熱交換機２４の背面側にガイドブロック２５を配置して空気吹出流路２６を形成するようにしてもよい。この場合、各熱交換機２４は、フィン２４ａの積層方向が遠心送風機１８の回転軸線Ｐを含む水平平面に対して平行となるように配置されることになり、上下で対をなす各熱交換機２４同士は、前記遠心送風機１８の回転軸線Ｐを含む水平平面を対称面とした場合に面対称となる配置態様に配置される。なお、ケーシング１１の前面に設けられる吹出口１５は、熱交換機２４とガイドブロック２５との間に形成される空気吹出流路２６の位置が変更になるため、該空気吹出流路２６の位置変更に追従して形成される位置が変更される。以下、この吹出口１５の形成位置変更に関しては、後述する図５〜図７に示す各空気調和機１０においても同様である。また、この場合、左右の各空調ユニット間には仕切部材２７を設けるとよい。そして、このような配置態様とした場合も、各熱交換機２４は、遠心送風機１８の回転軸線Ｐと直交する方向で該遠心送風機１８とそれぞれ部分的に重なりあうことになるため、前記実施形態と同様の効果を奏し得る。
【００４０】
・また、例えば図５に示す別例２のように、熱交換機２４は、ケーシング１１（ケーシング本体１２）内において、遠心送風機１８の回転軸線Ｐを中心とした場合に９０度の角度間隔をおいた位置にそれぞれ配置されるようにしてもよい。即ち、遠心送風機１８に対して上下方向の一方側及び左右方向の一方側からＬ字状の配置態様で臨む一対の熱交換機２４を遠心送風機１８毎に配置し、各熱交換機２４の背面側にガイドブロック２５を配置して空気吹出流路２６を形成するようにしてもよい。この場合も、左右の各空調ユニット間には仕切部材２７を設けるとよい。そして、このような配置態様とした場合も、各熱交換機２４は、遠心送風機１８の回転軸線Ｐと直交する方向で該遠心送風機１８とそれぞれ部分的に重なりあうことになるため、前記実施形態と同様の効果を奏し得る。
【００４１】
・また、例えば図６に示す別例３のように、熱交換機２４は、ケーシング１１（ケーシング本体１２）内において、遠心送風機１８の回転軸線Ｐを中心とした場合に１８０度の角度間隔をおいた位置に一対の熱交換機２４を配置し、一方の熱交換機２４に対して９０度の角度間隔をおいた位置に一つの熱交換機２４を配置してもよい。即ち、遠心送風機１８に対して上下方向の一方側及び左右両側からコ字状の配置態様で臨むように３つの熱交換機２４を遠心送風機１８毎に配置してもよい。そして、このような配置態様とした場合も、各熱交換機２４は、遠心送風機１８の回転軸線Ｐと直交する方向で該遠心送風機１８とそれぞれ部分的に重なりあうことになるため、前記実施形態と同様の効果を奏し得る。
【００４２】
・また、例えば図７（ａ）（ｂ）にそれぞれ示す別例４及び別例５のように、遠心送風機１８と熱交換機２４及びガイドブロック２５等からなる空調ユニットをケーシング１１内において上下方向に連続するように設けてもよい。因みに、図７（ａ）の別例４に係る空気調和機１０は、図４に示した別例１の空気調和機１０を縦方向にしたものであり、図７（ｂ）の別例５に係る空気調和機１０は、図２に示した本実施形態の空気調和機１０を縦方向にしたものである。そして、このような配置態様とした場合も、各熱交換機２４は、遠心送風機１８の回転軸線Ｐと直交する方向で該遠心送風機１８とそれぞれ部分的に重なりあうことになるため、前記実施形態と同様の効果を奏し得る。
【００４３】
・また、図１〜図３に示した前記実施形態及び図４〜図７に示した各別例の空気調和機１０において、ケーシング１１内に配置される熱交換機２４の配置態様を図８に示す別例６のように斜め配置としてもよい。即ち、熱交換機２４のフィン２４ａの積層方向が遠心送風機１８の回転軸線Ｐを含む垂直平面（又は水平平面）に対して斜め向きとなる配置態様に各熱交換機２４を配置してもよい。このように斜め配置とした場合は、遠心送風機１８からの空気吹出流を受けることになる熱交換機２４の表面側の有効熱交換面積を広く確保できるため、空気調和機１０における熱交換効率が良好に向上する。
【００４４】
・また、例えば図９に示す別例７のように、ケーシング１１の前面（前面パネル１３）に設けられる吸込口１４を複数（図９では一つの吸込口１４毎に２つ）の開閉パネル１３ａにより覆う構成としてもよい。勿論、一つの吸込口１４毎に１つの大型開閉パネルで覆うようにしてもよい。このようにした場合も、開閉パネル１３ａが下端縁を揺動支点にして上端側を前方へ揺動させて開放動作した場合には、ケーシング１１の前面に吸込口１４が現れることになり、前面吸込・前面吹出の空気調和機１０として前記実施形態及び各別例と同様の効果を奏し得る。
【００４５】
・前記実施形態及び各別例では、吸込口１４と共に各吹出口１５をケーシング１１の前面（前面パネル１３）に設けたが、各吹出口１５については空気調和機１０が設置される環境条件（室内環境等）に応じてケーシング１１の上面、下面、左右各側面に設けられるものであってもよい。
【００４６】
・前記吸込口１４と遠心送風機１８との間に配置される空気ガイド１９については必ずしもなくてよい。
・空気吹出流路２６内で空気吹出流を吹出口１５側にガイドするガイド面２５ａは円弧状面でなく斜面であってもよく、また、ガイドブロック２５を省略してケーシング１１の内面に形成されたものであってもよい。
【００４７】
・ケーシング１１内において遠心送風機１８を両側から挟むように配置される複数の熱交換機２４は、例えば図８の別例６の場合、少なくとも一つが斜め配置となっている構成でもよく、必ずしも全ての熱交換機２４が同様に斜め配置となっていなくてもよい。
【００４８】
・本実施形態及び各別例では、室内壁面Ｗに設置される壁掛け式の空気調和機の室内機に具体化したが、壁掛け式に限らず、据え置き式の空気調和機に具体化してもよく、更には、室外機に具体化してもよい。
【図面の簡単な説明】
【００４９】
【図１】本実施形態における空気調和機の設置状態を示す外観斜視図。
【図２】本実施形態の空気調和機の内部構成を示す一部省略斜視図。
【図３】本実施形態の空気調和機の平断面図。
【図４】別例１の空気調和機の内部構成を示す一部省略斜視図。
【図５】別例２の空気調和機の内部構成を示す一部省略斜視図。
【図６】別例３の空気調和機の内部構成を示す一部省略斜視図。
【図７】（ａ）（ｂ）は別例４，５の空気調和機の内部構成を示す一部省略斜視図。
【図８】別例６の空気調和機の平断面図。
【図９】別例７の空気調和機の設置状態を示す外観斜視図。
【符号の説明】
【００５０】
１０…空気調和機、１１…ケーシング、１４…吸込口、１５…吹出口、１８…遠心送風機、１９…空気ガイド、２４…熱交換機、２４ａ…フィン、２５ａ…ガイド面、２６…空気吹出流路、Ｐ…回転軸線、Ｗ…室内壁面。
【図１】
2006029702.tif 000003
【図２】
2006029702.tif 000004
【図３】
2006029702.tif 000005
【図４】
2006029702.tif 000006
【図５】
2006029702.tif 000007
【図６】
2006029702.tif 000008
【図７】
2006029702.tif 000009
【図８】
2006029702.tif 000010
【図９】
2006029702.tif 000011